(57)【要約】【課題】立体性を有しかつより複雑な動作を現出し得るモビール細工及びこれを含むモビールを提供すること。【解決手段】モビール細工(1)は、同一の平面形状を有する、互いに相対する経木製の一対の板片(13)と、両板片間に配置された１又は複数のスペーサ(15)とを含む。両板片はこれらの周縁部(17)において互いに接合され、スペーサにより維持された中空部(21)と中空部に連通する穴(23両板片はこれらの周縁部の一部分において互いに接合され、前記スペーサにより維持され前記周縁部の残りの部分において開放する中空部を有する)とを有する。あるいは、両板片はこれらの周縁部の一部分において互いに接合され、スペーサにより維持され周縁部の残りの部分において開放する中空部を有する。【選択図】図２
0003149562.tif 000002
【実用新案登録請求の範囲】
【請求項１】
同一の平面形状を有する、互いに相対する経木製の一対の板片と、両板片間に配置された１又は複数のスペーサとを含み、
両板片はこれらの周縁部において互いに接合され、前記スペーサにより維持された中空部と該中空部に連通する一又は複数の穴とを有する、
ことを特徴とするモビール細工。
【請求項２】
前記板片の平面形状は、魚の側面の形態を模してなる、
ことを特徴とする請求項1に記載のモビール細工。
【請求項３】
同一の平面形状を有する、互いに相対する経木製の一対の板片と、両板片間に配置された１又は複数のスペーサとを含み、
両板片はこれらの周縁部の一部分において互いに接合され、前記スペーサにより維持され前記周縁部の残りの部分において開放する中空部を有する、
ことを特徴とするモビール細工。
【請求項４】
さらに、両板片はそれぞれ前記中空部に連通する１又は複数の穴を有する、
ことを特徴とする請求項３に記載のモビール細工。
【請求項５】
前記板片の平面形状は、海獣の側面の形態を模してなる、
ことを特徴とする請求項３又は４に記載のモビール細工。
【請求項６】
請求項１〜５のいずれか１項に記載の１又は複数のモビール細工を備えることを特徴とする、モビール。
【考案の詳細な説明】
【技術分野】
【０００１】
本考案は、室内装飾品であるモビールに用いられ、該モビールを構成するモビール細工に関する。
【背景技術】
【０００２】
モビールは、１又は複数のモビール細工を室内に細い糸で吊り下げてなる。細い糸で吊り下げられたモビール細工は、室内を流れる微風を受けて空中で揺れ、向きを変える等の動作を行い、見る者の目を楽しませる働きをする。
【０００３】
従来、モビール細工は、魚や動物の形状を模した金属製、紙製、木製等の単一の板片により形成されているところ（特許文献１）、このようなモビール細工は立体感に乏しく、また、その動作はひらひらと揺れるといった単純なものとなりやすい。このため、このようなモビール細工を有するモビールは比較的すぐに飽きられるという難点があった。
【先行技術文献】
【特許文献】
【０００４】
【特許文献１】実用新案登録第３００００６０号公報
【考案の概要】
【考案が解決しようとする課題】
【０００５】
本考案の目的は、このような従来のモビール細工及びこれを含むモビールが有する難点を解消する、立体性を有しかつより複雑な動作を現出し得るモビール細工及びこれを含むモビールを提供することにある。
【課題を解決するための手段】
【０００６】
（請求項１に記載の考案の特徴）
請求項１に記載の考案は、モビール細工に係り、同一の平面形状を有する、互いに相対する経木製の一対の板片と、両板片間に配置された１又は複数のスペーサとを含み、両板片はこれらの周縁部において互いに接合され、前記スペーサにより維持された中空部と該中空部に連通する一又は複数の穴とを有することを特徴とする。
【０００７】
請求項１に記載の考案によれば、周縁部で相互に接合され、スペーサにより維持された中空部を有する一対の板片からなるモビール細工は、従来の単一の板片からなるものと異なり、立体的な形状を呈する。立体的形状は、モビール細工の外形として採用される例えば魚類、動物等の姿態をより実物に似せたものに表現することに役立つ。また、両板片が規定する中空部とこれに連通する穴とは、モビール細工の駆動手段として作用する微風の受け入れ、滞留、衝突、通過等を許し、これがモビール細工の動きをさらに複雑にすることに寄与する。モビール細工の外観が与える印象及びモビール細工が模した実物の関連性と、その動作の複雑さとにより、飽きを招来しにくいモビールとすることができる。
【０００８】
また、両板片が、それぞれ、曲げやすいという性質を有する経木からなることから、周縁部のすべて又はその一部分が接合された両板片は、それぞれ、両板片間に置かれたスペーサを超えて伸びる部分において湾曲する外面を有する。湾曲し、膨らみを呈する外面は、特に、モビール細工が体現する対象物である魚類、動物等が有する体の曲面性を表出し、これにより、モビール細工を、これが象る実物をより一層良く想起させるものとすることができる。
【０００９】
（請求項２に記載の考案の特徴）
請求項２に記載の考案は、請求項１に記載の考案の構成要素を備えた上で、前記板片の平面形状が魚の側面の形態を模してなることを特徴とする。
【００１０】
請求項２に記載の考案によれば、両板片の周縁部がその全てにわたって接合されていることから、内部にスペーサが配置された両板片はこれらの周縁部において厚さが薄くかつその周縁部に囲まれた部分において厚さが厚い形態をとる。この形態は、背と腹の部分がこれらの間の部分より大きい厚みを有することを特徴的形態とする魚を模したモビール細工を得るのに適する。
【００１１】
（請求項３に記載の考案の特徴）
請求項３に記載の考案は、モビール細工に係り、請求項１に係る考案におけると同様、同一の平面形状を有する、互いに相対する経木製の一対の板片と、両板片間に配置された１又は複数のスペーサとを含むところ、請求項３に係る考案にあっては、両板片はこれらの周縁部の一部分において互いに接合され、前記スペーサにより維持され前記周縁部の残りの部分において開放する中空部を有する。
【００１２】
請求項３に記載の考案によれば、周縁部の一部分で相互に接合され、スペーサにより維持された中空部を有する一対の板片からなるモビール細工は、請求項１にかかる考案と同様、立体的な形状を呈し、立体的形状は、モビール細工の外形として採用される例えば魚類、動物等の姿態を実物に似せたものを表現することに役立つ。また、両板片が規定する中空部は、両板片の周縁部の残部において外部に開放することから、モビール細工の駆動手段して作用する微風の通過及び受入を許し、これがモビール細工の動きをさらに複雑にすることに役立つ。モビール細工の外観が与える印象と実物との関連性と、その動作の複雑さとにより、飽きを招来しにくいモビールとすることができる。
【００１３】
請求項３に係る考案においても、また、両板片がそれぞれ曲げやすいという性質を有する経木からなることから、周縁部のすべて又はその一部分が接合された両板片は、それぞれ、両板片間に置かれたスペーサを超えて伸びる部分において湾曲する外面を有する。湾曲した外面は、特に、モビール細工が体現する魚類、動物等の体の曲面性を表出し、これによりモビール細工からこれが象る実物をより一層良く想起させるものとすることができる。
【００１４】
（請求項４に記載の考案の特徴）
請求項４に記載の考案は、請求項２に記載の考案の構成要素を備えた上で、さらに、両板片が、それぞれ、前記中空部に連通する１又は複数の穴を有することを特徴とする。
【００１５】
請求項４に記載の考案によれば、各板片に設けられた穴が該穴を通しての前記中空部への微風の流入を許し、これが、モビール細工の動作をより複雑にする作用をなす。
【００１６】
（請求項５に記載の考案の特徴）
請求項５に記載の考案は、請求項３又は４に記載の考案の構成要素を備えた上で、前記板片の平面形状が海獣の側面の形態を模してなることを特徴とする。
【００１７】
請求項５に記載の考案によれば、両板片の周縁部の一部分及び他の残りの部分がそれぞれ接合され及び非接合とされていることから、内部にスペーサが配置された両板片はこれらの周縁部の一部分において厚さが薄くかつ他の残りの部分において厚さが厚い形態をとる。この形態は、背の部分から腹の部分に向けて厚みが次第に増大する形態を有する海獣を模したモビール細工を得るのに適する。
【００１８】
（請求項６に記載の考案の特徴）
請求項６に記載の考案は、モビールに係り、請求項１〜５のいずれか１項に記載の考案に係る１又は複数のモビール細工を備えることを特徴とする。
【００１９】
請求項６に記載の考案によれば、モビール細工がこれが模する実物に良く似ており、また空中で比較的複雑な動きをすることから、モビールとして、興味を引き付け、飽きさせにくい鑑賞を提供する。
【考案の効果】
【００２０】
本考案によれば、従来のモビール細工及びこれを含むモビールが有する難点を解消する、立体性を有しかつより複雑な動作を現出し得るモビール細工及びこれを含むモビールを提供することができる。
【図面の簡単な説明】
【００２１】
【図１】本考案に係るモビール細工を含むモビールを示す概略的な斜視図である。
【図２】本考案に係るモビール細工の一例を示す拡大斜視図である。
【図３】本考案に係る他のモビール細工の例を示す拡大斜視図である。
【図４】図３に示すと同様の例に係る他のモビール細工の正面図である。
【図５】図３に示すと同様の例に係るさらに他のモビール細工の正面図である。
【考案を実施するための形態】
【００２２】
図１を参照すると、本考案に係る任意の数量（図示の例では３つ）及び大きさのモビール細工が符号１で示され、これらのモビール細工１を含むモビールが全体に符号３で示されている。図示のモビール３は、さらに、台座５と、該台座に支持され台座５から上方に湾曲して伸びる吊り棒７と、モビール細工１のための吊り糸９と、横棒１１とを備える。
【００２３】
図示のモビール細工１は魚類（一匹の石鯛及び二匹の熱帯魚）を模したものからなる。モビール細工１が模する対象は、前記魚類のほか、図３〜５にそれぞれ示すようなイルカ、鯨、シャチのような海獣や、他の動物、植物等のうちから任意のものから選択することができる。
【００２４】
図示のモビール３にあっては３つのモビール細工１のうちの１つ（石鯛）が吊り棒７の上端から吊り糸９で吊るされ、他の２つ（熱帯魚）が、それぞれ、一つのモビール細工（石鯛）１から吊り糸９で吊り下げられた横棒１１に、二本の吊り糸９を介して、吊り下げられている。この例のモビール３に代えて、例えば、最上方に位置するモビール細工（石鯛）１を吊るす吊り糸９を吊り棒７から外し、これを適当なフック（図示せず）を介して、室内の天井のような任意の箇所に吊るしてなるモビールとすることができる。
【００２５】
図３に、図１に示すモビール細工１のうちの一つ、具体的にはモビール３を構成する最上方の魚類を模したモビール細工１（石鯛）を代表的に拡大して示す。図３に示すように、モビール細工１は、一対の板片１３と、両板片１３間に配置された１又は複数（図示の例では３つ）のスペーサ１５とを含む。
【００２６】
両板片１３は、それぞれ、松、スギ、ヒノキ等の木材から得られた経木からなり、同一の平面形状を有する。板片１３の平面形状は、モビール細工１が模する対象に応じて選択される。図示の例では、前記石鯛をその側面から見たときのおおよその外形からなる。板片１３の平面形状は、当該形状の輪郭を有する抜型（図示せず）を用いて経木から切り抜くことにより得ることができる。経木には、軽量でありまた切断しやすいという利点がある。
【００２７】
両板片１３は互いに相対して配置され、かつ、両板片１３の周縁部１７において、例えば接着剤により互いに接合されている。周縁部１７同士の相互接合は、例えば周縁部１７のすべての領域に接着剤を塗布することにより、あるいは周縁部１７に沿って接着剤を点状に塗布することにより行うことができる。これにより、両板片１３は、それぞれ、接合された両周縁部１７に取り囲まれた互いに相対する２つの非接着領域部１９を有する。
【００２８】
スペーサ１５は、両板片１３の非接着領域部１９間にあって、両非接着領域部１９間に間隔（スペース）をおきかつこれを維持する働きをなす。スペーサ１５は、例えば木片からなり、両板片１３の一方又は双方に例えば接着により固定される。両板片１３はこれらの間に配置されたスペーサ１５のために曲げられた状態におかれる。このことから、両板片１３間には中空部２１が存し、モビール細工１は立体形状を有する。さらに、本考案にあっては、両板片１３の構成材が曲げ加工の容易な経木であることから、得られるモビール細工１に、丸みや膨らみを表現する滑らかな曲面を容易に付与することができる。前記丸みや膨らみは、スペーサ１５の大きさを選択して所望の程度に定めることができる。これにより、モビール細工１の外形をこれが模する対象である実物の外形に近づけることができる。
【００２９】
両板片１３は、また、これらが規定する中空部２１に連通する１又は複数（図示の例では５つ）の穴２３を有する。これらの穴２３は、例えば、図１及び図３に示すように、魚の皮膚模様及び目に当たる部分に形成されている。このような穴２３を形成することにより、立体化されたモビール細工１の外観をより一層実物の外観に似たものとすることができる。
【００３０】
モビール細工１がモビール３の一部として機能するとき、モビール細工１の中空部２１及び各穴２３は、モビール細工１に対して空中での浮遊動作を生じさせる微風の受け入れ空間、流入口及び流出口の機能を果たす。これらの中空部２１及び穴２３を流れる微風は、モビール細工1の外面に加えて、その中空部２１において、両板片１３及びスペーサ１５に対して様々な角度で当たり、また、穴２３に対する微風の流入方向及び流出方向が変化することにより、モビール細工１はより複雑な動きを行う。
【００３１】
図３は、モビール細工１をこれが模する他の対象の外形により近づけ又は似たものとするため、両板片１３がこれらの周縁部１７の一部分２５において互いに接合され、両板片１３間の中空部２１が周縁部１７の非接合部分である他の残りの部分２７において開放するようにされたモビール細工１の他の例を示す。
【００３２】
図３に示す例では、モビール細工１がイルカを模してなる。イルカの側面の形態を象ってなる両板片１３はイルカの背の側に接合部分２５を有し、またイルカの腹の側に非接合部分２７を有する。両板片１３間には中空部２１を形成するため、図２に示す例におけると同様、１又は複数（図示の例では２つ）のスペーサ１５が配置されている。これによれば、モビール細工１は、両板片１３の接合部分２５において厚みが薄く、非接合部分２７において厚みが厚い形態をとる。このような形態は、薄実物のイルカの形態により近い。これに対し、図２に示す例にあっては、両板片の周縁部がその全部にわたって接合されているため、両板片１３が表わす魚の背の側及び腹の側の双方が共に厚みの薄い形態をとる。
【００３３】
図３に示す例によれば、モビール細工１の中空部２１及びその開放部分が微風の受け入れ空間並びに流入口及び流出口をなす。これらの中空部２１及びその開放部分を流れる微風は中空部２１において様々な箇所に当たり、また、前記開放部分に対する微風の流入方向及び流出方向の変化により、モビール細工１は複雑な動きをする。
【００３４】
図３に示す例においても、各板片１３に中空部２１に連通する穴２９を設けることができる。これによれば、穴２９を通して、中空部２１に流入した微風の一部を中空部２１の外部に逃がすことができ、これにより、モビール細工１をより一層複雑な動きをするものとすることができる。
【００３５】
図３に示す例と同様のモビール細工１の例として、図４及び図５に、例えば海獣の一つであるシャチや鯨を模したものを示す。図４及び図５に示すモビール細工１については、説明の重複を避けるため、図３に示すモビール細工１に付したと同様の符号を付すに止める。
【００３６】
図１〜図５において、符号３１は、吊り糸９を通すために両板片１３に設けられ両板片
１３を貫通する貫通孔を示す。また、符号３３は、両板片１３に取り付けられた一対の板状の木片であって、モビール細工１が模する魚及び海獣のひれを表わす。
【符号の説明】
【００３７】
１  モビール細工
３  モビール
１３  板片
１５  スペーサ
１７  板片の周縁部
２１  空間部
２３，２９  穴
２５  周縁部の一部分（接合部分）
２７  周縁部の残りの部分（非接合部分）
【図１】
0003149562.tif 000003
【図２】
0003149562.tif 000004
【図３】
0003149562.tif 000005
【図４】
0003149562.tif 000006
【図５】
0003149562.tif 000007